(57)【要約】【課題】家禽がガード内に入って抜け出せなくなることを防止できる家禽用給餌装置を提供する。【解決手段】本発明に係る家禽用給餌装置１０は、上部に飼料を導入する導入口１８と下部に飼料を排出する排出口２０とを有する筒状の落下フード１２と、落下フード１２の下方に配設されて、落下フード１２から排出される飼料を貯留して家禽に与える給餌皿１４と、給餌皿１４を支持して落下フード１２に固定するガード１６とを備え、ガード１６は落下フード１２外周に嵌合される上部係合部１２ａと給餌皿１４に固定される下部係合部１２ｃとを有すると共に、上部係合部１２ａと下部係合部１２ｃとを連結する複数のアーム部１２ｂを有し、落下フード１２の外周部とアーム部１６ｂとの隙間寸法および給餌皿１４の内周部とアーム部１６ｂとの隙間寸法がいずれも家禽の胴体幅よりも狭い構成を有する。【選択図】図１
2013106545.tif 000002
【特許請求の範囲】
【請求項１】
家禽に飼料を与える家禽用給餌装置において、
上部に前記飼料を導入する導入口と下部に該飼料を排出する排出口とを有する筒状の落下フードと、
前記落下フードの下方に配設されて、前記落下フードから排出される前記飼料を貯留して前記家禽に与える給餌皿と、
前記給餌皿を支持して前記落下フードに固定するガードと、を備え、
前記ガードは、前記落下フード外周に嵌合される上部係合部と前記給餌皿に固定される下部係合部とを有すると共に、該上部係合部と該下部係合部とを連結する複数のアーム部を有し、
前記落下フードの外周部と前記アーム部との隙間寸法および前記給餌皿の内周部と前記アーム部との隙間寸法がいずれも前記家禽の胴体幅よりも狭いこと
を特徴とする家禽用給餌装置。
【請求項２】
前記アーム部は、下方に凸状となる湾曲部を有し、該湾曲部は前記給餌皿の外縁部の高さよりも低い位置となるように該給餌皿内に配設されること
を特徴とする請求項１記載の家禽用給餌装置。
【請求項３】
前記落下フードは、前記ガードの上部係合部が固定される係止部を上下方向に複数有し、該ガードの固定位置が上下方向に調整可能であること
を特徴とする請求項１または請求項２記載の家禽用給餌装置。
【請求項４】
前記給餌皿は、中央部分に上方へ隆起して前記落下フード内へ進入する突起部を有し、前記落下フードの下端部と前記突起部との隙間寸法が前記家禽の胴体幅よりも狭いこと
を特徴とする請求項１〜３のいずれか一項に記載の家禽用給餌装置。
【発明の詳細な説明】
【技術分野】
【０００１】
本発明は、家禽に飼料を与える家禽用給餌装置に関するものである。
【背景技術】
【０００２】
ブロイラー等の家禽を飼養するための給餌方法として、飼料タンクに蓄えられた飼料を飼料給餌ラインに通し、給餌ライン上に取り付けた給餌装置に供給する方法が知られている。運ばれた飼料は、給餌ラインの給餌口から給餌装置の落下フード内に導入され、落下フードの排出口から排出されて、落下フード下方に設けられた給餌皿上に分配されている。しかし、給餌装置の給餌皿内に飼育している家禽が入って居座ることがあり、他の家禽が飼料を食べることの妨げとなり、さらに尿や糞で飼料が汚染されることがある。このため、複数のアーム部を備えたガードを餌皿上方に設け、家禽の進入を防ぎ、アーム部同士の間隔を空けて飼料を食べられるようにしている。
【０００３】
上記家禽用給餌装置の従来技術として、給餌装置によじ登れなくする障壁を設け、給餌装置内に入り込んでも容易に退出できるようにした家禽給餌装置が特許文献１に開示されている。
【先行技術文献】
【特許文献】
【０００４】
【特許文献１】特開平４−２６７８２７号公報
【発明の概要】
【発明が解決しようとする課題】
【０００５】
特許文献１に例示される従来の家禽用給餌装置について、ガードのアームと、落下フード外周部および給餌皿内周部との間にできた空間は、家禽の大きさよりも大きく、特に胴体幅よりも広くなるようにアームの形状を設定している。このように設定することで、家禽がガード内に入り込んでも抜け出しやすいようにしている。しかし、ガードを設けることでできた空間を広くしても家禽の大きさによってはガード内に入って抜け出せなくなることがあり、やがて死んでしまうため、家禽を飼養する上で損失となってしまうという課題があった。
【０００６】
そこで本発明は上記課題を解決するためになされたもので、その目的とするところは、家禽がガード内に入って抜け出せなくなることを防止できる家禽用給餌装置を提供することにある。
【課題を解決するための手段】
【０００７】
上記目的を達成するため、本発明の家禽用給餌装置は次の構成を備える。すなわち本発明は、家禽に飼料を与える家禽用給餌装置において、上部に前記飼料を導入する導入口と下部に該飼料を排出する排出口とを有する筒状の落下フードと、前記落下フードの下方に配設されて、前記落下フードから排出される前記飼料を貯留して前記家禽に与える給餌皿と、前記給餌皿を支持して前記落下フードに固定するガードと、を備え、前記ガードは、前記落下フード外周に嵌合される上部係合部と前記給餌皿に固定される下部係合部とを有すると共に、該上部係合部と該下部係合部とを連結する複数のアーム部を有し、前記落下フードの外周部と前記アーム部との隙間寸法および前記給餌皿の内周部と前記アーム部との隙間寸法がいずれも前記家禽の胴体幅よりも狭いことを特徴とする。この構成によれば家禽がガード内に入って抜け出せなくなることを確実に防止できる。
【０００８】
また、本発明において、前記アーム部は、下方に凸状となる湾曲部を有し、該湾曲部は前記給餌皿の外縁部の高さよりも低い位置となるように該給餌皿内に配設されることが好ましい。これによれば、給餌皿の内周部とアーム部との隙間寸法を家禽の大きさよりも小さくすることができる。また、給餌皿内の飼料が無いもしくは少ない状態となった場合でも確実に家禽をガード内に入らせないことが可能となる。
【０００９】
また、本発明において、前記落下フードは、前記ガードの上部係合部が固定される係止部を上下方向に複数有し、該ガードの固定位置が上下方向に調整可能であることが好ましい。これによれば、家禽の成長段階に合わせて給餌量を調節できると共に、前記落下フードの外周部と前記アーム部との隙間寸法の調整ができるため、家禽が雛の状態あるいは成長した状態のいずれであってもガード内に入って抜け出せなくなることを防止できる。
【００１０】
また、本発明において、前記給餌皿は、中央部分に上方へ隆起して前記落下フード内へ進入する突起部を有し、前記落下フードの下端部と前記突起部との隙間寸法が前記家禽の胴体幅よりも狭いことが好ましい。これによれば、落下フードの排出口に家禽が入って抜け出せなくなることを防止できる。
【発明の効果】
【００１１】
本発明に係る家禽用給餌装置によれば、給餌皿内に入った家禽がガード内に入って抜け出せなくなることを防止できる。
【図面の簡単な説明】
【００１２】
【図１】本発明の実施形態に係る家禽用給餌装置の例を示す概略図（斜視図）である。
【図２】図１に示す家禽用給餌装置の概略図（正面断面図）である。
【図３】図１に示す家禽用給餌装置のガードを落下フードに対して上方位置に固定した状態を示す概略図（正面断面図）である。
【図４】図１に示す家禽用給餌装置の給餌皿をガードの下部係合部に対して下方位置に固定した状態を示す概略図（正面断面図）である。
【発明を実施するための形態】
【００１３】
以下、図面を参照して、本発明の実施形態を詳細に説明する。なお、実施形態を説明するための全図において、同一の機能を有する部材には同一の符号を付し、その繰り返しの説明は省略する場合がある。
【００１４】
図１は、本実施形態に係る家禽用給餌装置１０の例を示す斜視図であり、図２は、家禽用給餌装置１０の正面断面図（図１におけるＡ−Ａ線断面図）である。本実施形態の家禽用給餌装置１０は、落下フードを通して供給される飼料を給餌皿に貯留して家禽に与える装置であり、食用あるいは採卵用等となる家禽の飼養に用いられる。ここで、当該家禽の種類としては特に限定されるものではなく、一例として、鶏（例えばブロイラー、レイヤー、種鶏、地鶏等）、鴨、ウズラ、アヒル等が挙げられる。
【００１５】
本実施形態に係る落下フード１２は、図１、２に示すように、筒状に形成されており、より具体的には上位部分が筒状の円筒部１２ａに形成され、下位部分が筒状の円錐部１２ｂに形成されて、当該円筒部１２ａと円錐部１２ｂとが連通するように接続された構造を有している。ここで、上部すなわち円筒部１２ａの上部には飼料を導入する導入口１８が設けられ、下部すなわち円錐部１２ｂの下部には導入された飼料を排出する排出口２０が設けられている。これによって、搬送された飼料が、導入口１８から落下フード１２内に導入され、筒状の落下フード１２内を通過して、排出口２０から排出されて、落下フード１２の下方に設けられた給餌皿１４上に貯留される作用が得られる。なお、本実施形態においては、飼料タンク（図示せず）から飼料が搬送される搬送パイプ（図示せず）に取り付けるためのアダプター１３が落下フード１２の上部に連結されているが、当該構成に限定されるものではない。
【００１６】
また、本実施形態に係る給餌皿１４は、落下フード１２の下方に設けられ、排出口２０から排出された飼料を貯留するものである。より具体的には、給餌皿１４は、図１、２に示すように、中央部分を上方へ円錐状に隆起させて落下フード１２内（ここでは排出口２０内）に進入する突起部１４ａを有する形状に形成されている。これによって、導入口１８から落下フード１２内に導入された飼料が円錐状の突起部１４ａに衝突して放射状に分配されて排出口２０から排出される作用が生じる。したがって、排出口２０から排出される飼料が給餌皿１４内の周方向に均等に分配されて貯留される効果が得られる。
【００１７】
なお、給餌皿１４は、ガード１６によって支持されて落下フード１２に固定されている。より具体的には、ガード１６は、図１、２に示すように、落下フード１２の外周に嵌合される環状の上部係合部１６ａと給餌皿１４に固定される環状の下部係合部１６ｃとを有すると共に、上部係合部１６ａと下部係合部１６ｃとを連結する複数のアーム部１６ｂを有している。一例として、アーム部１６ｂは板状部材を用いて形成されているが、これに限定されるものではなく、棒状部材を用いて形成してもよい。
【００１８】
ここで、本実施形態に特徴的な構成として、落下フード１２の外周部とアーム部１６ｃとの隙間寸法が家禽の胴体幅よりも狭い形状に形成されている。より具体的には、図２に示すように、落下フード１２（ここでは円筒部１２ａ）の外周部とアーム部１６ｂとの隙間を２８とし、その寸法をｄ１とすると、当該隙間寸法ｄ１が家禽の大きさ、特に胴体幅よりも狭い形状に形成されている。これによって、家禽はガード１６内（ここでは、隙間２８）に入ることができないため、ガード１６内に入って抜け出せなくなるという従来の課題を解決することが可能となる。
【００１９】
また上記と同様に、落下フード１２（ここでは円錐部１２ｂ）の外周部とアーム部１６ｂとの隙間を３４とし、その寸法をｄ２とすると、当該隙間寸法ｄ２が家禽の大きさ、特に胴体幅よりも狭い形状に形成されている。これによって、家禽はガード１６内（ここでは、隙間３４）に入ることができないため、ガード１６内に入って抜け出せなくなるという課題の解決が可能となる。
【００２０】
また、本実施形態に特徴的な構成として、給餌皿１４の内周部とアーム部１６ｃとの隙間寸法が家禽の胴体幅よりも狭い形状に形成されている。より具体的には、図２に示すように、給餌皿１４の内周部（ここでは内底面）とアーム部１６ｂとの隙間を３０とし、その寸法をｄ３とすると、当該隙間寸法ｄ３が家禽の大きさ、特に胴体幅よりも狭い形状に形成されている。これによって、家禽はガード１６内（ここでは、隙間３０）に入ることができないため、ガード１６内に入って抜け出せなくなるという従来の課題を解決することが可能となる。
【００２１】
特に、本実施形態に係るアーム部１６ｂは、図２に示すように、下方に凸状となる湾曲部を有している。当該湾曲部は、給餌皿１４の外縁部の高さよりも低い位置となるように給餌皿１４内に配設されている。このような形状とすることによって、給餌皿１４の内周部とアーム部２６との隙間３０の寸法を家禽の大きさよりも小さくすることができる。また、給餌皿１４内の飼料が無いもしくは少ない状態となった場合でも確実に家禽をガード１６内（ここでは、隙間３０）に入らせないことが可能となる。当該形状は本実施形態に特徴的な構成であり、直線状または上方に凸状である従来の家禽用給餌装置（特許文献１参照）とは異なるものである。
【００２２】
また上記と同様に、給餌皿１４の内周部（ここでは周縁部の内面）とアーム部１６ｂとの隙間を３２とし、その寸法をｄ４とすると、当該隙間寸法ｄ４が家禽の大きさ、特に胴体幅よりも狭い形状に形成されている。これによって、家禽はガード１６内（ここでは、隙間３２）に入ることができないため、ガード１６内に入って抜け出せなくなるという課題の解決が可能となる。
【００２３】
また、本実施形態に特徴的な構成として、落下フード１２の下端部と突起部１４ａとの隙間寸法が家禽の胴体幅よりも狭い形状に形成されている。より具体的には、図２に示すように、落下フード１２の下端部と突起部１４ａとの隙間寸法をｄ５とすると、当該隙間寸法ｄ５が家禽の大きさ、特に胴体幅よりも狭い形状に形成されている。これによって、家禽が排出口２０から落下フード１２内に進入して抜け出せなくなることを防止できる。
【００２４】
一方、落下フード１２は、ガード１６の上部係合部１６ａが係止される係止部１２ｃ（図１参照）を上下方向に複数有し、ガード１６の係止位置（固定位置）が上下方向に調整可能に構成されている。より具体的には、ガード１６を落下フード１２の上方位置の係止部１２ｃに係止した場合には図２に示す状態となり、ガード１６を落下フード１２の下方位置の係止部１２ｃに係止した場合には図３に示す状態となる。このように、落下フード１２に対してガード１６の固定位置を上下方向に調整できることによって、当該ガード１６に固定された給餌皿１４と落下フード１２との距離、すなわち排出部２０の開口量を調整することができる。したがって、排出部２０から排出（供給）される飼料の量を調整することができる。
【００２５】
ここで、アーム部１６ｂは、落下フード１２の外周面に沿って湾曲する形状を有しているため、落下フード１２に対してガード１６の固定位置を上下方向に移動しても、落下フード１２の外周部とアーム部１６ｃとの隙間寸法を家禽の胴体幅よりも狭い形状に保持することが可能となる。
【００２６】
一方、ガード１６は、下部係合部１６ｃによって支持される給餌皿１４の支持位置（固定位置）を上下方向に調整可能に構成されている。より具体的には、給餌皿１４を下部係合部１６ｃの上方位置で支持した場合には図２に示す状態となり、給餌皿１４を下部係合部１６ｃの下方位置で支持した場合には図４に示す状態となる。なお、給餌皿１４の支持位置（固定位置）は、図２に示す位置と図４に示す位置との間で上下方向に自由に調整することができる。このように、ガード１６に対して給餌皿１４の固定位置を上下方向に調整できることによって、地面からの給餌皿１４の高さ位置を調節することができる。したがって、家禽の種類に応じて、あるいは家禽の成長に伴う大きさに応じて、餌を食べるのに適した高さ位置に給餌皿１４を配置することができる。
【００２７】
ここで、アーム部１６ｂは、給餌皿１４の内周面に沿って湾曲する形状を有しているため、ガード１６に対して給餌皿１４の固定位置を上下方向に移動しても、給餌皿１４の内周部とアーム部１６ｃとの隙間寸法を家禽の胴体幅よりも狭い形状に保持することが可能となる。
【００２８】
さらに、落下フード１２によって係止されるガード１６の係止位置（固定位置）、および下部係合部１６ｃによって支持される給餌皿１４の支持位置（固定位置）の両方を同時に調整することも可能である。これによれば、家禽の種類に応じて、あるいは家禽の成長に伴う大きさに応じて、隙間２８、３０、３２、３４を最適な隙間寸法に調整することができるため、家禽の種類、大きさに関わらず、当該家禽がガード内に入って抜け出せなくなることを防止できる。
【００２９】
以上説明した通り、開示の家禽用給餌装置によれば、家禽がガード内に入って抜け出せなくなることを防止できる。
【００３０】
なお、本発明は、以上説明した実施形態に限定されることなく、本発明を逸脱しない範囲において種々変更可能であることは言うまでもない。特に、本発明に係る給餌装置は家禽用として最も好適に用いることができるが、家禽以外の動物に適用することも当然に可能である。
【符号の説明】
【００３１】
１０  家禽用給餌装置
１２  落下フード
１３  アダプター
１４  給餌皿
１６  ガード
１６ａ  上部係合部
１６ｂ  アーム部
１６ｃ  下部係合部
１８  導入口
２０  排出口
２８、３０、３２、３４  隙間
【図１】
2013106545.tif 000003
【図２】
2013106545.tif 000004
【図３】
2013106545.tif 000005
【図４】
2013106545.tif 000006
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
家禽に飼料を与える家禽用給餌装置において、
上部に前記飼料を導入する導入口と下部に該飼料を排出する排出口とを有する筒状の落下フードと、
前記落下フードの下方に配設されて、前記落下フードから排出される前記飼料を貯留して前記家禽に与える給餌皿と、
前記給餌皿を支持して前記落下フードに固定するガードと、を備え、
前記ガードは、前記落下フード外周に嵌合される上部係合部と前記給餌皿に固定される下部係合部とを有すると共に、該上部係合部と該下部係合部とを連結する複数のアーム部を有し、
前記アーム部は、下方に凸状となる湾曲部を有し、該湾曲部は前記給餌皿の外縁部の高さよりも低い位置となるように該給餌皿内に配設され、
前記落下フードの外周部と前記アーム部との隙間寸法および前記給餌皿の内周部と前記アーム部との隙間寸法がいずれも前記家禽の胴体幅よりも狭いこと
を特徴とする家禽用給餌装置。
【請求項２】
前記落下フードは、前記ガードの上部係合部が固定される係止部を上下方向に複数有し、該ガードの固定位置が上下方向に調整可能であること
を特徴とする請求項１記載の家禽用給餌装置。
【請求項３】
前記給餌皿は、中央部分に上方へ隆起して前記落下フード内へ進入する突起部を有し、前記落下フードの下端部と前記突起部との隙間寸法が前記家禽の胴体幅よりも狭いこと
を特徴とする請求項１または請求項２記載の家禽用給餌装置。
【手続補正２】
【補正対象書類名】明細書
【補正対象項目名】０００７
【補正方法】変更
【補正の内容】
【０００７】
上記目的を達成するため、本発明の家禽用給餌装置は次の構成を備える。すなわち本発明は、家禽に飼料を与える家禽用給餌装置において、上部に前記飼料を導入する導入口と下部に該飼料を排出する排出口とを有する筒状の落下フードと、前記落下フードの下方に配設されて、前記落下フードから排出される前記飼料を貯留して前記家禽に与える給餌皿と、前記給餌皿を支持して前記落下フードに固定するガードと、を備え、前記ガードは、前記落下フード外周に嵌合される上部係合部と前記給餌皿に固定される下部係合部とを有すると共に、該上部係合部と該下部係合部とを連結する複数のアーム部を有し、前記アーム部は、下方に凸状となる湾曲部を有し、該湾曲部は前記給餌皿の外縁部の高さよりも低い位置となるように該給餌皿内に配設され、前記落下フードの外周部と前記アーム部との隙間寸法および前記給餌皿の内周部と前記アーム部との隙間寸法がいずれも前記家禽の胴体幅よりも狭いことを特徴とする。この構成によれば家禽がガード内に入って抜け出せなくなることを確実に防止できる。
【手続補正３】
【補正対象書類名】明細書
【補正対象項目名】０００８
【補正方法】変更
【補正の内容】
【０００８】
また、給餌皿の内周部とアーム部との隙間寸法を家禽の大きさよりも小さくすることができ、給餌皿内の飼料が無いもしくは少ない状態となった場合でも確実に家禽をガード内に入らせないことが可能となる。